(57)【要約】【課題】キャップ１２に直接付された文字や記号が見えやすく、しかも識別番号などを確実に付することが可能な標示杭Ａを提供する。【解決手段】杭本体１の頭部１０にキャップ１２が被せられ、前記キャップ１２が地表から露出するようにして、地盤に埋設される標示杭Ａであって、前記キャップ１２の側面１２ｂに標示杭Ａを識別するための表示プレート２０が取り付けられている。【選択図】　　　図１
2004132945.tif 000002
【特許請求の範囲】
【請求項１】
杭本体の頭部にキャップが被せられ、前記キャップが地表から露出するようにして、地盤に埋設される標示杭であって、
前記キャップの側面に標示杭を識別するための表示プレートが取り付けられている標示杭。
【請求項２】
請求項１において、前記表示プレートは前記側面に釘形の止着部材によって固定されている標示杭。
【請求項３】
請求項１または２において、前記キャップの側面に、前記表示プレートを前記側面に沿って挿入させる挿入溝を備えた標示杭。
【発明の詳細な説明】
【０００１】
【発明の属する技術分野】
本発明は、地籍調査を行うような場合に使用される土地や道路の位置、または、その位置のケーブル、水道管、ガス管等の埋設状況等の情報を表示するための標示杭に関するものである。
【０００２】
【従来の技術】
従来、地籍調査等を行う場合には、位置標示部材として、例えば測量杭が使用されてきた。この測量杭は、地盤に打ち込まれるもので、細長い棒状とされた杭本体の頭部に、地表に露出するキャップが取り付けられている。このキャップの頂面に、番号や記号が記入された表示板を金属製のピンで固定されたものが使用されている（例えば、特許文献１）。
【０００３】
【特許文献１】
実用新案登録第２５２７６０７号公報（第２頁第３欄第２２−２６行目、第１図）
【０００４】
ところが、キャップの頂面には、その標示杭の種別、所属や打ち込まれている土地の名称のような、一見してわかる文字または記号が刻設される場合が多く、その場合、文字または記号が表示板で覆われて見えなくなる。
【０００５】
そこで本発明の目的は、キャップに直接付された文字や記号が見えやすく、しかも識別番号などを確実に付することが可能な標示杭を提供することにある。
【０００６】
【課題を解決するための手段】
上記目的を達成するために、本発明に係る標示杭は、杭本体の頭部にキャップが被せられ、前記キャップが地表から露出するようにして、地盤に埋設される標示杭であって、前記キャップの側面に標示杭を識別するための表示プレートが取り付けられている。
【０００７】
前記構成によれば、表示プレートが標示杭の側面に取り付けられることから、空いている頂面に付された標示杭の種別、所属や打ち込まれている土地名称のような文字または記号が見えやすい。
【０００８】
また、本発明の好ましい実施形態では、前記表示プレートは前記側面に釘形の止着部材によって固定されている。この構成によれば、標示杭に対し、確実に表示プレートを取り付けることができる。
【０００９】
さらに、本発明の好ましい実施形態では、前記キャップの側面に、前記表示プレートを前記側面に沿って挿入させる挿入溝を備えている。この構成によれば、標示杭に対し、確実に表示プレートを取り付けることができる。また、標示杭を地盤に打ち込んだ後に表示プレートを取り付ける場合、表示プレートは、挿入溝に装着することにより支持されるため、キャップの側面であっても容易に取り付けることができる。
【００１０】
【発明の実施の形態】
以下、本発明の一実施形態を図面に基づいて説明する。図１（Ａ）に示す標示杭Ａは、細長い、例えば断面十字形とされた杭本体１の先端側に先鋭部１１を、他方側に四角柱形状とされた頭部１０をそれぞれ形成して、この頭部１０を覆う金属や樹脂製のキャップ１２を取り付けている。キャップ１２の側面１２ｂには表示プレート２０が固定されている。杭本体１およびキャップ１２の横断面形状は、三角形、四角形以上の多角形、円形等、種々の形状とすることができる。
【００１１】
杭本体１は、樹脂製、木製、コンクリート製であり、通常、樹脂製のものが好ましく用いられる。この樹脂製の杭本体１に使用される材料としては、例えば、ポリエチレン、ポリプロピレン、ポリエステル、スチロール、ポリアミド、ポリスルホン等の熱可塑性プラスチックで形成された樹脂製品の廃物等である、リサイクル樹脂が用いられる。
【００１２】
杭本体１の頭部１０を覆うキャップ１２には、ポリエチレン、ポリプロピレン、フッ素、ポリカーボネート、ポリスルホン、ポリエステル等の熱可塑性樹脂や、フェノール、ポリイミド等の熱硬化性樹脂が用いられる。
【００１３】
キャップ１２の頂面１２ａには、その標示杭Ａの種別、所属や打ち込まれている土地の名称のような、一見してわかる文字または記号が刻設されており、本実施形態の場合、「地籍調査」という文字が刻設されている。図２の（ａ）ないし（ｃ）に示すように、キャップ１２の頂面１２ａには、「地籍調査」の他に、例えば、「国土調査」、「筆界基準」等の文字や矢印のような記号が刻設される。キャップ１２の側面１２ｂに固定されている表示プレート２０は、アルミニウム、ステンレス等の耐腐食性を有する金属または樹脂製であり、円形、多角形などの任意の形状のものが使用できるが、通常、図１（Ｂ）に示すように円形状のプレートが好ましく用いられる。この表示プレート２０の表面には識別番号や識別記号が刻印あるいは印刷されており、中心には、挿通孔２１が設けられている。本実施形態の場合、「８１２９」と刻印されているが、このような識別番号、または識別記号を利用し、データセンタから、その標示杭Ａが存在する場所の土地や道路の位置、または、その位置におけるケーブル、水道管、ガス管等の埋設状況等の情報が得られる。
【００１４】
図１（Ｂ）に示すように、頭部１０の側面には下孔１４が形成されており、表示プレート２０は、金属または樹脂製の釘形の止着部材３０を前記挿通孔２１に挿入し、前記下孔１４に打ち込むことにより、標示杭Ａに取り付けられる。
【００１５】
次に、本発明の他の実施形態について説明する。図３に示す標示杭Ａのキャップ１２の側面１２ｂには、表示プレート２０を側面１２ｂに沿って挿入させるための挿入溝１３が設けられている。側面１２ｂは、上部が表示プレート２０の直径に合致した平行溝状に形成され、下部が表示プレート２０の外径に合致した半円状に形成されて側面視でＵ字形となっている。挿入溝１３は、横断面形状で、底部の幅が先端部の幅よりも大きい蟻溝形であり、表示プレート２０の周縁部２０ａが、この蟻溝に嵌め込まれる。挿入溝１３の底面には、下孔１４が設けられている。円形状の表示プレート２０は、挿入溝１３に上方から挿入され、図４に示すように、周縁部２０ａが、挿入溝１３の内側面１６に引っ掛かって頭部１０から脱落しないように支持されている。さらに、表示プレート２０は、止着部材３０を、図３に示す表示プレート２０の挿通孔２１に挿入し、下孔１４に打ち込むことにより標示杭Ａに固定されている。これにより、表示プレート２０を確実に標示杭Ａに取り付けることができる。
【００１６】
さらに、本発明の表示プレート２０の標示杭Ａへの取り付けは、杭本体１を地盤に打ち込む前でも後でもよい。
【００１７】
【発明の効果】
以上のように、本発明に係る標示杭によれば、表示プレートが標示杭の側面に取り付けられることから、空いている頂面に付された標示杭の種別、所属や打ち込まれている土地の名称のような文字または記号が見えやすい。
【図面の簡単な説明】
【図１】（Ａ）は本発明に係る標示杭の一例を示す斜視図、（Ｂ）はその要部を示す斜視図である。
【図２】（ａ），（ｂ）および（ｃ）は同標示杭の頂面の他の例を示す平面図である。
【図３】本件発明に係る標示杭に表示プレートを取り付けるための挿入溝を設けた状態を示す斜視図である。
【図４】同標示杭の挿入溝に表示プレートを取り付けた状態を示す斜視図である。
【符号の説明】
１…杭本体、１０…頭部、１２…キャップ、１２ｂ…キャップの側面、１４…下孔、２０…表示プレート、２１…挿通孔、３０…釘形の止着部材、Ａ…標示杭。
【図１】
2004132945.tif 000003
【図２】
2004132945.tif 000004
【図３】
2004132945.tif 000005
【図４】
2004132945.tif 000006